(57)【要約】      （修正有）【課題】自力では行動が困難な患者を病院、在宅で介護者はベッドから、車椅子等相互移乗には体力的に大変な負担があります。老々介護が始まる今、優しい介護用品としてループダッコは移乗と同時に、おむつ交換の際の体位変換を容易にする。【解決手段】下腹部にシートの上部握り手７、８を上にして背中側に当てる。シート本体は、腰部分を巻く充分な巾面積があり、丈は膝上まである形。シート本体１の巾両端に握り手４、５、６を左右対照に付けた。握り手４の左右に巾広の紐１１を通し先端はマジックテープで止める。巾広の紐１２は紐通し９、１０に通して紐１１にＴ字形に組み先端はマジックテープ１３，１４で止める。マジックテープ部分は必要に応じて長さを調節ができる。介護者は腰の７、８の握り手を持ち上げることで腹部のＴ字形の紐が押し上がり下腹部をシートが包み込んで自然体で移乗できる。移乗後は付けたままで紐を連結して車椅子の手摺りに通し滑りを防止できた。【選択図】図１
0003126923.tif 000002
【実用新案登録請求の範囲】
【請求項１】
摩擦係数の大きい係止面よりなる材質で、患者の下腹部を包むに充分の巾で、丈は腹部分から膝部分までの長方形を形成し、巾両端部分、裏両端部分、上部裏の三方に握り手を設けたことに特徴がある移乗ループダッコ。
【請求項２】
シート本体下部裏の紐通をした紐（１２）と腹部を止める紐（１１）の先端にマジックテープをつけＴ字形にする。車椅子に移乗し、その紐を連結して手摺りに通し、前後の滑りを防止できる請求項１の移乗ループダッコ。
【考案の詳細な説明】
【技術分野】
【０００１】  本考案は介護者が患者をベッドと車椅子等に相互移乗させる際、安全で楽にできる他、所望の位置への担架、おむつ交換の体位変換もでき、介護用品として容易に目的を果たすことが出来る移乗ループダッコである。
【背景技術】
【０００２】  従来、医療関係で、患者のズボンの腰廻りを握り移乗しているが患者の股間に係る負担は大きく、介護者に取っても力を入れるところがなく、容易には移乗が困難であった。【０００３】  以前からある移乗器具は、高価である上、取り扱いには習熟が必要となる他、コスト的にも好ましいとは言えない。
【考案の開示】
【考案が解決しようとする課題】
【０００４】  自力で動くことが困難な患者を移乗させるには、体力的に弱い女性、老人には極めて負担が大きい、是を容易にする為に握り手を設けた。【０００５】  更に、体重がある人でも充分な握り手を幾つも付けることで、２人で移乗させることが出来、分力されて楽で安全な優しい介護ができる。【０００６】  移乗の時、腰部の握り手を持ち上げて一旦起立させる際、脱力症状があれば前に倒れ易く不安定になるので、腰部、臀部、下腹部をシートで包むことで崩れを防ぐことが出来る。【０００７】  移乗ループダッコを付けたまま車椅子に移乗、加えて腹部の紐を車椅子の手摺りに固定することで、安全で使い勝手のよい介護必需用品である。
【課題を解決するための手段】
【０００８】  本考案は、シート本体（１）の巾両端に握り手（４）（５）（６）を左右対照に付け、又そのシート本体裏側の同位置にも握り手（４’）（５’）（６’）を左右対照に設ける。上端部（２）の腰部分裏に握り手（７）（８）を付け、下端部（３）の裏に紐通し（９）（１０）を設ける。シート本体の表側に紐（１１）（１２）の２本を丁字形に組み両端部にマジックテープを設ける。
【考案の効果】
【０００９】  本考案は自力では移動が困難な患者の移乗が安全であって、不安感を与えることの無い様に腰部、臀部、下腹部をくるりと包み込むおむつ形で安定感に優れ楽に自然体で移乗ができた。【００１０】  本考案のループダッコは臀部全体をシートで包み、前腹部の紐に股間からの紐を丁字形にすることで関節が硬く、又脱力があっても下半身が固定されるので楽に介護ができ負担が軽減された。【００１１】  本考案は患者の移乗に、握り手を持ち上げて行われるが直接紐が股間に当たる苦痛を和らげるようシート本体の下端部裏に紐通しを並べて２箇所付け、間隔を取ることでおむつ等で押えられる苦痛を取り除くことができた。【００１２】  本考案のループダッコは握り手を沢山付けてあることで、体重の有る人の移動を体力の弱い女性や老人が一人でする事は無理であるが、その時は両脇から２人で持ち上げると容易に出来て、短距離救急用の担架として使用できる。【００１３】  本考案のループダッコは車椅子に移乗後、奥まで座らせるのに両端の握り手を引くことで体を容易に移動出来る。【００１４】  車椅子に移乗後もループダッコは付けて居て、腹部の紐のマジックテープを外し車椅子の肘を潜らせて、股間からの紐の両端のマジックテープと連結することで前滑りを防止することができ安全である。【００１５】  本考案のループダッコは軽くバックに入る程に小さく出来、収納が容易で持ち運びが便利である。【００１６】  本考案は患者の身体に直接付ける介護用品として、患者に違和感のある金属ものを避け、優しいマジックテープを止め具、調節部に使用した。【００１７】  本考案は災害、停電の有事にも設備を必要としないので、患者、介護者に負担のない適切な対応ができます。
【考案を実施するための最良の形態】
【００１８】  本考案は摩擦係数の大きい材質を使用し、患者の下腹部を包むに充分の面積を有し、丈は膝部分まである。シート本体（１）の形状。紐の長い方は前腹部を締めるに充分の長さを持ち、短い紐も股間からの長さに余裕があるシート本体（１）の形状に順する。【００１９】  シート本体（１）の巾端に握り手（４）（５）（６）を左右対照に付けた。上部（２）の裏左右に握り手（７）（８）をつける。体重を持ち上げる握り手は幾重にも縫ってしっかり固定する。下部の紐通し（９）（１０）に紐（１２）を通し股間からと腹部握り手の（４）（４’）を通した紐（１１）を丁字形に組みマジックテープで付ける。【００２０】  本考案の握り手部分、紐部分を巾広にしてあり握り易く、丈夫である。丁字形の紐（１１）（１２）の先端にあるマジックテープは長くて巾広に付けることで強度も増し、サイズに於いても対応できた。【００２１】  シート本体の生地は通風性に富み、丈夫な天然素材の綿、混紡、握り手のループには強くて弾力性がある合成繊維の暖色系で構成した。紐はシート生地を厚くして使用することで硬さによる圧迫感がなく丈夫で優しいループダッコができた。【００２２】  本考案は介護用品として患者の体に常に触れることから丈夫である上、容易に洗濯が出来て清潔なものが適している。【００２３】  本考案のループダッコをベッド上でズボンの下に敷き、おむつ交換の体位変換、おむつ汚れのシートにも出来る。
【図面の簡単な説明】
【００２４】
【図１】本考案の平面図である
【図２】本考案の立体図である
【図３】本考案のシートＡ−Ａ′は断面拡大図である
【図４】本考案のシートＢ−Ｂ′は断面拡大図である
【図５】本考案のシートＣ−Ｃ′は断面拡大図である
【図６】本考案のシートＤ−Ｄ′は断面拡大図である
【図７】本考案の使用状態を示す斜視図である
【図８】本考案の使用状態を示す斜視図である
【図９】本考案の他の実施例を示す斜視図である
【符号の説明】
【００２５】  １シート本体
２上部
３下部
４握り手
５握り手
６握り手
７握り手（裏側）
８握り手（裏側）
９紐通し（裏側）
１０紐通し（裏側）
１１紐（シート布製）
１２紐（シート布製）
１３マジックテープ（登録商標）
１４マジックテープ（登録商標）
【図１】
0003126923.tif 000003
【図２】
0003126923.tif 000004
【図３】
0003126923.tif 000005
【図４】
0003126923.tif 000006
【図５】
0003126923.tif 000007
【図６】
0003126923.tif 000008
【図７】
0003126923.tif 000009
【図８】
0003126923.tif 000010
【図９】
0003126923.tif 000011
【手続補正書】
【提出日】平成18年8月10日(2006.8.10)
【手続補正１】
【補正対象書類名】実用新案登録請求の範囲
【補正対象項目名】請求項２
【補正方法】変更
【補正の内容】
【請求項２】
シート本体下部裏の紐通しをした紐（１２）と腹部を止める紐（１１）の先端にマジックテープ（登録商標）をつけ丁字形にしておいて、車椅子に移乗し、その紐を連結して手摺りに通し、前後の滑りを防止できる請求項１の移乗ループダッコ。